(57)【要約】【課題】  建物の外壁面が凹凸面であっても竪樋を略垂直状に支持することが可能な竪樋支持具を提供する。【解決手段】  本発明に係る竪樋支持具１は、竪樋１２を受け止めて支持する樋受部材２と、該樋受部材２を建物の外壁面１４に固定するベース部材３とを連結してなる構成とされたものであり、前記樋受部材２及びベース部材３の連結部４，５同士は前記竪樋１２の軸心方向に沿って揺動可能に連結されあっていることを特徴とする。このとき、前記樋受部材２の連結部４は外歯車状の側面視形状を有し、かつ、前記ベース部材３の連結部５は側方から差し込まれた前記樋受部材２の連結部４と噛み合う内歯車状の側面視形状を有していることが好ましい。【選択図】  図１
2005061031.tif 000002
【特許請求の範囲】
【請求項１】
竪樋を受け止めて支持する樋受部材と、該樋受部材を建物の外壁面に固定するベース部材とを連結してなり、前記樋受部材及びベース部材の連結部同士は前記竪樋の軸心方向に沿って揺動可能に連結されあっていることを特徴とする竪樋支持具。
【請求項２】
前記樋受部材の連結部は外歯車状の側面視形状を有し、かつ、前記ベース部材の連結部は側方から差し込まれた前記樋受部材の連結部と噛み合う内歯車状の側面視形状を有していることを特徴とする請求項１に記載の竪樋支持具。
【請求項３】
前記樋受部材及び前記ベース部材の連結部それぞれは１歯ずつ強制的に揺動可能とされていることを特徴とする請求項２に記載の竪樋支持具。
【請求項４】
前記樋受部材の連結部は側面視円形状を有し、かつ、前記ベース部材の連結部は側方から差し込まれた前記樋受部材の連結部が嵌合する側面視円孔形状を有しており、前記ベース部材の連結部には径方向に挿通して前記樋受部材の連結部を位置決め固定する固定具を配備していることを特徴とする請求項１に記載の竪樋支持具。
【発明の詳細な説明】
【技術分野】
【０００１】
本発明は、建物の外壁面が凹凸面であっても竪樋を略垂直状に取り付けることが可能な構成とされた竪樋支持具に関する。
【背景技術】
【０００２】
従来から、建物の外壁面に竪樋を取り付ける場合にあっては竪樋支持具を使用するのが一般的であり、この種の竪樋支持具としては特許文献１で開示され、かつ、図７で簡略化して示すような構成とされたものが周知となっている。この竪樋支持具１１は、竪樋１２を受け止めて支持する樋受部材（樋取付部）１３と、この樋受部材１３を建物の外壁面１４に固定するベース部材（固定部）１５とが一体的に連結されたものである。
【０００３】
すなわち、図示を省略しているが、竪樋支持具１１を構成する樋受部材１３及びベース部材１５のいずれか一方側には嵌合用凸部が設けられると共に、その他方側には嵌合用凹部が設けられている。そして、ここでの嵌合用凸部は、先端外周に鍔縁が形成された円柱状の軸体とされている。
【０００４】
また、嵌合用凹部は軸体を挿脱可能な軸孔が形成された筒状体とされており、この竪樋支持具１１では、嵌合用凸部と嵌合用凹部とが嵌合しあうのに伴って樋受部材１３及びベース部材１５が一体化される。なおベース部材１３は、固定用ボルト（図示省略）を用いて建物の外壁面に固定される。
【特許文献１】実開平１−６２４２５号公報
【発明の開示】
【発明が解決しようとする課題】
【０００５】
ところで、近年においては、表面上に意匠が施されて凹凸のある外壁面１４、例えば、ＡＬＣ壁といわれるような外壁面１４を具備した建物が増加している。そのため、前記した従来の竪樋支持具１１を使用したのでは、つぎのような不都合が発生することになる。      
【０００６】
すなわち、従来例に係る竪樋支持具１１では、竪樋１２を受け止めて支持する樋受部材１３と、この樋受部材１３を建物の外壁面１４に固定するベース部材１５とが一体的に連結されているため、建物の外壁面１４が凹凸面である場合は、図７で示すように、ベース部材１５が傾斜した状態で外壁面１４に固定される。そこで、ベース部材１５と一体化された樋受部材１３が傾斜した状態となり、その結果、樋受部材１３で受け止め支持された竪樋１２までもが傾斜した状態となってしまう。
【０００７】
本発明はこのような不都合に鑑みて創案されたものであり、建物の外壁面が凹凸面である場合でも竪樋を略垂直状として支持することが可能な構成とされた竪樋支持具の提供を目的としている。
【課題を解決するための手段】
【０００８】
上記目的を達成するため、請求項１記載の本発明に係る竪樋支持具は、竪樋を受け止めて支持する樋受部材と、該樋受部材を建物の外壁面に固定するベース部材とを連結してなるものであり、前記樋受部材及びベース部材の連結部同士は前記竪樋の軸心方向に沿って揺動可能に連結されあっていることを特徴とする。
【０００９】
請求項２記載の本発明に係る竪樋支持具は請求項１に記載したものであり、前記樋受部材の連結部は外歯車状の側面視形状を有し、かつ、前記ベース部材の連結部は側方から差し込まれた前記樋受部材の連結部と噛み合う内歯車状の側面視形状を有していることを特徴とする。
【００１０】
請求項３記載の本発明に係る竪樋支持具は請求項２に記載したものであり、前記樋受部材及び前記ベース部材の連結部それぞれは１歯ずつ強制的に揺動可能とされていることを特徴とする。
【００１１】
請求項４記載の本発明に係る竪樋支持具は請求項１に記載したものであって、前記樋受部材の連結部は側面視円形状を有し、かつ、前記ベース部材の連結部は側方から差し込まれた前記樋受部材の連結部が嵌合する側面視円孔形状を有しており、前記ベース部材の連結部には、径方向に挿通して前記樋受部材の連結部を位置決め固定する固定具を配備していることを特徴とする。
【発明の効果】
【００１２】
請求項１記載の本発明に係る竪樋支持具では、建物の外壁面に固定されるベース部材に対し、竪樋を受け止めて支持する樋受部材が揺動可能な状態として連結されている。従って、建物の外壁面が凹凸面であるためにベース部材が傾斜した状態として固定される場合であっても、外壁面に固定済みのベース部材に対して樋受部材を揺動させると、樋受部材で受け止め支持された竪樋を略垂直状として支持することができ、この竪樋を真っすぐな状態で建物の外壁面に取り付けることが可能となる。
【００１３】
請求項２記載の本発明に係る竪樋支持具では、樋受部材の連結部が外歯車状の側面視形状を有し、かつ、ベース部材の連結部が内歯車状の側面視形状を有している。そのため、樋受部材をベース部材に差し込んで連結するに際し、外歯車状とされた樋受部材の連結部と、内歯車状とされたベース部材の連結部と１歯ずつずらせることを行うと、ベース部材に対して樋受部材は少しずつ揺動することとなり、その結果、外壁面の状態に対応したうえで竪樋を略垂直状に支持することが容易となる。
【００１４】
請求項３記載の本発明に係る竪樋支持具においては、樋受部材及びベース部材の連結部それぞれが１歯ずつ強制的に揺動可能な構成とされている。そこで、樋受部材を強制的に揺動させれば、歯車が変形する結果、ベース部材に対して樋受部材は１歯ずつずれることとなり、外壁面の状態に対応しながら竪樋を略垂直状として支持することができる。
【００１５】
請求項４記載の本発明に係る竪樋支持具では、側面視円形状を有する樋受部材の連結部が側面視円孔形状を有するベース部材の連結部に差し込まれ、かつ、差し込まれた樋受部材の連結部がベース部材の連結部に配備された固定具で位置決め固定される。そのため、樋受部材の連結部をベース部材の連結部に対して少しずつ揺動させたうえで固定するようにすれば、樋受部材を任意の位置まで揺動させて固定し得ることとなり、外壁面の状態に対応して竪樋を略垂直状に支持することが可能となる。
【発明を実施するための最良の形態】
【００１６】
建物の外壁面が凹凸面であったとしても竪樋を略垂直状に支持することが可能な竪樋支持具を提供するという目的を、構成の複雑化を招くことがなく、最小限の部品点数で実現した。
【実施例】
【００１７】
図１は実施例に係る竪樋支持具の全体構成を示す側面図、図２は竪樋支持具の全体構成を示す平面図であり、図３は竪樋支持具の外壁面への取り付け状態を示す説明図である。そして、図４〜図６のそれぞれは樋受部材及びベース部材の連結部を拡大して示す側面図であり、図４は実施例に係る連結部を示す側面図、図５は連結部の第１変形例を示す側面図、図６は連結部の第２変形例を示す側面図である。
【００１８】
なお、図１〜図３中の符号１は竪樋支持具を示しており、この竪樋支持具の全体構成は従来例と基本的
に異ならないので、図１〜図３において、図７と同一もしくは相当する部品、部分には同一符号を付している。
【００１９】
本実施例に係る竪樋支持具１は、図１〜図３で示すように、建物の外壁面１４に竪樋１２を取り付ける場合に使用されるものであり、共に別部品である樋受部材２及びベース部材３の各々、つまり、竪樋１２を受け止めて支持する樋受部材２と、この樋受部材２を建物の外壁面１４に固定するためのベース部材３とが互いに連結されて一体化された構成を有している。そして、この際における樋受部材２とベース部材３とは、各々の連結部４，５同士が竪樋１２の軸心方向である略垂直な方向に沿って揺動可能な状態として連結されあっている。なお、これらの樋受部材２及びベース部材３は、金属や樹脂などから作製されている。
【００２０】
ここでの樋受部材２は、平面視略矩形状とされた竪樋１２をその外側から挟み込んで支持する支持枠６と、その一端部から引き出された所定厚みの連結部４とが一体化されたものである。そして、この連結部４の側面視形状は、図１で示すように、外歯車状とされている。また、ベース部材３は、固定用ボルト（図示省略）を用いて建物の外壁面１４に固定される台板７と、この台板７の略中央部に突設された連結部５とが一体化されたものであり、図１で示すように、ここでの連結部５は連結部４と略同等の厚みとされたうえ、その側方から差し込まれた樋受部材２の連結部４と噛み合う内歯車状の側面視形状とされている。
【００２１】
すなわち、樋受部材２及びベース部材３それぞれの連結部４，５を拡大して示すと、図４のようになっており、樋受部材２の外歯車状を有する連結部４とベース部材３の内歯車状を有する連結部５とは、互いに１歯ずつ噛み合った状態で連結されている。そこで、樋受部材２をベース部材３から抜き取った後、再び樋受部材２をベース部材３に差し込んで連結するに際し、外歯車状である樋受部材２の連結部４と、内歯車状であるベース部材３の連結部５とを１歯ずつずらせることを行うと、ベース部材３に対して樋受部材２は少しずつ揺動することになる。
【００２２】
そして、共に歯車状とされた樋受部材２の連結部４とベース部材３の連結部５とが互いに噛み合った状態で連結されている結果、このときの樋受部材２は、ベース部材３によって建物の外壁面１４に位置決めして固定されることになる。従って、建物の外壁面１４が凹凸面であるために、通常ならば、ベース部材３が傾斜した状態となって固定される場合であっても、外壁面１４に固定済みのベース部材３に対して樋受部材２を揺動させるようにすると、この樋受部材２で受け止められた竪樋１２は略垂直状として支持される。
【００２３】
ところで、本実施例においては、樋受部材２の連結部４が外歯車状の側面視形状を有し、かつ、ベース部材３の連結部５が側方から差し込まれた樋受部材２の連結部４と噛み合う内歯車状の側面視形状を有するとしているが、図５で示すように、これらの連結部４，５それぞれが１歯ずつ強制的に揺動可能な構成とされていてもよい。すなわち、このような構成とする場合には、例えば、外歯車状とされた樋受部材２の連結部４、及び、内歯車状とされたベース部材３の連結部５の双方、または、いずれか一方が変形可能な歯車であればよく、樋受部材２を揺動させる作用を外部から加えると、歯車が変形して１歯ずつずれる結果として樋受部材２で支持された竪樋１２を略垂直状で支持し得ることになる。
【００２４】
さらにまた、本発明においては、樋受部材２及びベース部材３の連結部４，５が歯車状とされている必然性はないのであり、例えば、図６で示すように、樋受部材２の連結部４は側面視円形状を有し、かつ、ベース部材３の連結部５は側方から差し込まれた樋受部材２の連結部４が嵌合する側面視円孔形状を有するとしてもよい。このような場合、ベース部材３の連結部５に対しては、径方向に挿通して樋受部材２の連結部４を位置決め固定するための固定具、例えば、止めネジ８を配備しておくことが行われる。
【００２５】
この構成である場合には、ベース部材３の連結部５に配備された止めネジ８による樋受部材２の連結部４に対する拘束を緩めておき、樋受部材２の連結部４を揺動させたうえ、竪樋１２が略垂直状に支持された状態となる位置で樋受部材２の連結部４を止めネジ８により拘束するようにすればよい。このようにすれば、樋受部材２の連結部４を任意の位置で位置決めして固定することが可能となり、その結果、建物の外壁面１４が凹凸面であっても樋受部材２で受け止められた竪樋１２は略垂直状として支持される。
【図面の簡単な説明】
【００２６】
【図１】本発明の実施例に係る竪樋支持具の全体構成を示す側面図である。
【図２】本発明の実施例に係る竪樋支持具の全体構成を示す平面図である。
【図３】本発明の実施例に係る竪樋支持具の外壁面への取り付け状態を示す説明図である。
【図４】本発明の実施例に係る竪樋支持具が具備している樋受部材及びベース部材の連結部を拡大して示す側面図である。
【図５】本発明の実施例に係る竪樋支持具が具備している樋受部材及びベース部材の連結部の第１変形例を拡大して示す側面図である。
【図６】本発明の実施例に係る竪樋支持具が具備している樋受部材及びベース部材の連結部の第２変形例を拡大して示す側面図である。
【図７】従来例に係る竪樋支持具の全体構成を示す側面図である。
【符号の説明】
【００２７】
１    竪樋支持具
２    樋受部材
３    ベース部材
４    樋受部材の連結部
５    ベース部材の連結部
１２    竪樋
１４    建物の外壁面
【図１】
2005061031.tif 000003
【図２】
2005061031.tif 000004
【図３】
2005061031.tif 000005
【図４】
2005061031.tif 000006
【図５】
2005061031.tif 000007
【図６】
2005061031.tif 000008
【図７】
2005061031.tif 000009